(57)【要約】  【課題】モバイルタイプの放射線画像読取装置の特性を十分に発現できる、立ち上がりの早い放射線画像読取装置を提供する。  【解決手段】蓄積性蛍光体シートに撮影された放射線画像を読み取る放射線画像読取装置であって、人手によって移動可能であり、かつ、非稼働時のモードとして、全部位への電力供給を停止するモードと、所定部位への電力供給を継続する待機モードとを有することにより、前記課題を解決する。【選択図】図１
2005077905.tif 000002
【特許請求の範囲】
【請求項１】
蓄積性蛍光体シートに撮影された放射線画像を読み取る放射線画像読取装置であって、
移動可能であり、かつ、非稼働時のモードとして、全部位への電力供給を停止するモードと、所定部位への電力供給を継続する待機モードとを有することを特徴とする放射線画像読取装置。
【請求項２】
補助電源を有し、外部電源からの電力供給が無い状態では、この補助電源からの電力供給により、前記待機モードにおける各部位への電力供給を行う請求項１に記載の放射線画像読取装置。
【請求項３】
前記待機モードでは、少なくとも、プログラムをロードした揮発性メモリへの電力供給を行う請求項１または２に記載の放射線画像読取装置。
【請求項４】
前記放射線画像の読み取りを、励起光光源および輝尽発光光測定手段を有する読取ユニットを移動することにより行うものであり、前記待機モードでは、少なくとも、前記読取ユニットの移動駆動源を励磁状態とする請求項１〜３のいずれかに記載の放射線画像読取装置。
【請求項５】
前記バッテリーからの電力供給時には、温度調整手段への電力供給を停止する請求項２〜４のいずれかに記載の放射線画像読取装置。
【発明の詳細な説明】
【技術分野】
【０００１】
本発明は、蓄積性蛍光体シートに撮影された放射線画像の読取装置の技術分野に属し、詳しくは、移動可能で、かつ、稼働停止状態から、迅速に放射線画像の読み取りを開始できる放射線画像読取装置に関する。
【背景技術】
【０００２】
放射線（Ｘ線、α線、β線、γ線、電子線、紫外線等）の照射を受けると、この放射線エネルギーの一部を蓄積し、その後、可視光等の励起光の照射を受けると、蓄積されたエネルギーに応じた輝尽発光を示す蛍光体が知られている。この蛍光体は、蓄積性蛍光体（輝尽性蛍光体）と呼ばれ、医療用途などの各種の用途に利用されている。
【０００３】
一例として、この蓄積性蛍光体の膜（以下、蛍光体膜とする）を有する蓄積性蛍光体シート（輝尽性蛍光体シート（パネル）とも呼ばれている）を利用する、放射線画像（情報）記録再生システムが知られており、例えば、富士写真フイルム社製のＦＣＲ（Fuji Computed Radiography)等として実用化されている。
このシステムでは、人体などの被写体を介してＸ線等を照射することにより、蛍光体パネル（蛍光体膜）に被写体の放射線画像を撮影する。撮影後に、蛍光体パネルをレーザ光等の励起光で２次元的に走査して輝尽発光を生ぜしめ、この輝尽発光光を光電的に読み取って画像信号を得、この画像信号に基づいて再生した画像を、ＣＲＴなどの表示装置や、写真感光材料などの記録材料等に、被写体の放射線画像として出力する。
【０００４】
蓄積性蛍光体シート（以下、蛍光体シートとする）に記録された放射線画像の読み取りは、通常、特許文献１に開示されるように、レーザビームなどの励起光を一方向（主走査方向）に偏向すると共に、蛍光体シートを主走査方向と直交する副走査方向に搬送することにより、ビーム状の励起光で蛍光体シートの全面を二次元的に走査する、ポイントスキャン方式（ラスタースキャン方式）が多く用いられている。
一方で、特許文献２に開示されるような、ＬＤなどの励起光光源を一方向（主走査方向）に配列したライン光源と、読取画素列を主走査方向に一致するラインＣＣＤセンサなどのラインセンサとをユニット化した読取ヘッドを用い、主走査方向と直交する副走査方向に、読取ヘッドと蛍光体シートとを相対的に移動することにより、励起光で蛍光体シートの全面を二次元的に走査する放射線画像の読取装置も知られている。
【０００５】
このライン光源とラインセンサを用いる読取装置は、励起光を偏向走査するための光学系や光路長が不要であるので、ポイントスキャン方式の読取装置に比して装置を大幅に小型化できる。
また、一般的に、読取装置は固定されており、撮影場所から読取装置の設置場所に蛍光体シートを運んで、放射線画像の読み取りを行う。これに対して、小型化が可能なラインセンサ等を用いる読取装置によれば、任意の場所に持ち運んで蛍光体シートに撮影された放射線画像情報を読み取る、モバイルタイプの読取装置とすることも可能であり、例えば、非特許文献１に開示されるように、画像表示用のディスプレイと組み合わせて、任意の場所で蛍光体シートに撮像された放射線画像を読み取り、その画像を表示することができる。
【０００６】
【特許文献１】特開２００２−１７４８６７号公報
【特許文献２】特開２００２−２９６７１６号公報
【非特許文献１】映像情報Medical 、産業開発機構社刊、２００２年５月、vol.３４、 No.６、第６６８ページ〜第６６９ページ
【発明の開示】
【発明が解決しようとする課題】
【０００７】
このようなモバイルタイプの読取装置であれば、撮影場所の近くに読取装置を持ち運んで、撮影後、直ちに蛍光体シートに撮影された放射線画像を読み取り、読み取った放射線画像をディスプレイ等に表示することができ、例えば、手術室での放射線診断画像の読影等が可能になる。
また、適正な撮影が困難な部位や病状の放射線画像を撮影する場合であっても、撮影場所の近くにモバイルタイプの読取装置を運んで、撮影後、直ちに読み取りを行い、撮影条件の確認や設定を行うことができる。その結果、迅速かつ正確な診断を行うことが可能になる。
しかも、このような利便性を、多数台の撮影装置に対して、少ない台数の読取装置で発揮することができる。
【０００８】
ここで、モバイルタイプの読取装置が、その優れた特性を発現できる状況の１つとして、緊急時にも迅速に対応できる点が挙げられる。例えば、事故や急病人などで緊急に放射線画像診断が必要な場合には、モバイルタイプの読取装置を撮影場所の近傍に運んで、撮影後、迅速に放射線画像の読み取りを行い、撮影条件の再設定、診断や治療を行うのが好ましい。
このような特性を、より好適に発現するためには、移動先で迅速に立ち上がり、短時間で放射線画像の読み取りを行える状態となる必要がある。しかしながら、このような点を考慮したモバイルタイプの放射線画像の読取装置は知られていない。
【０００９】
本発明の目的は、移動可能（持ち運び可能）な放射線画像読取装置であって、移動先等において迅速に立ち上がって、短時間で蓄積性蛍光体シートに撮影された放射線画像の読み取りを開始することができる放射線画像読取装置を提供することにある。
【課題を解決するための手段】
【００１０】
前記目的を達成するために、本発明の放射線画像読取装置は、蓄積性蛍光体シートに撮影された放射線画像を読み取る放射線画像読取装置であって、移動可能であり、かつ、非稼働時のモードとして、全部位への電力供給を停止するモードと、所定部位への電力供給を継続する待機モードとを有することを特徴とする放射線画像読取装置を提供する。
【００１１】
このような本発明の放射線画像読取装置において、補助電源を有し、外部電源からの電力供給が無い状態では、この補助電源からの電力供給により、前記待機モードにおける各部位への電力供給を行うのが好ましく、また、前記待機モードでは、少なくとも、プログラムをロードした揮発性メモリへの電力供給を行うのが好ましく、また、前記放射線画像の読み取りを、励起光光源および輝尽発光光測定手段を有する読取ユニットを移動することにより行うものであり、前記待機モードでは、少なくとも、前記読取ユニットの移動駆動源を励磁状態とするのが好ましく、さらに、前記バッテリーからの電力供給時には、温度調整手段への電力供給を停止するのが好ましい。
【発明の効果】
【００１２】
このような本発明によれば、モバイルタイプの放射線画像読取装置の立ち上がり時間を迅速にして、その特性を十分に発揮した、利便性の高い放射線画像記録再生システムを実現することができる。
【発明を実施するための最良の形態】
【００１３】
以下、本発明の放射線画像読取装置について、添付の図面に示される好適実施例を基に、詳細に説明する。
【００１４】
図１（Ａ）に、本発明の放射線画像読取装置の一例の概念図を示す。
図示例の放射線画像読取装置１０は（以下、読取装置１０とする）、病院内の各位置に固定的に設置された、あるいは緊急時などに任意の位置に適宜設置された、放射線画像の撮影装置によって蓄積性蛍光体シートに撮影（記録）された放射線画像（情報）を読み取り、この放射線画像を表示する装置である。
なお、以下の説明では、蓄積性蛍光体シート（輝尽性蛍光体シート（パネル）とも言われる）をＩＰとし、ＩＰに記録された放射線画像の読み取りを「ＩＰの読み取り」とする。
【００１５】
図示例において、読取装置１０は、基本的に、読取部１２と、ディスプレイ１４と、制御部１６と、補助電源であるバッテリ１８と、外部電源と接続される主電源部２０とを有して構成される。また、図示は省略するが、読取装置１０には、操作用のキーボードやマウスが接続される。
このような読取装置１０は、バッテリ１８を有する点や、非稼働時におけるモードを複数有する点など以外には、基本的に、ライン光源およびラインセンサを用いる公知のＩＰ（放射線画像）の読取装置である。
【００１６】
本発明の読取装置１０は、容易可能なモバイルタイプの装置であって、小型で、底面に移動用のキャスター２２を有する。
なお、本発明において、移動可能とは、一カ所に固定的に設置されて使用されるのではなく、通常の使用時（定常的な使用）において、適宜、場所を移動して使用されることを意味するものであり、移動して使用されないことを前提とした装置を、装置導入時等に使用位置に運搬すること等は含まない。
このようなモバイルタイプの読取装置１４は、例えば、放射線画像記録再生システムを有する病院内において、各病室、各放射線画像撮影室（その操作室）、各手術室、各診察室など、放射線画像の撮影場所に応じて様々な位置に移動され、撮影装置が放射線画像を撮影したＩＰの読み取りを行う。また、このようなモバイルタイプの読取装置１４の移動は、人が押て移動したり持ち運んだりする形態や、無線コントロール等を利用して指示した位置に装置が自走する形態等が利用可能である。
【００１７】
ＩＰは、遮光性の筐体であるカセッテに収容された状態で放射線画像を撮影され、カセッテが読取装置１０の所定位置に装填されることにより、読取装置１０に供給される。
読取装置１０において、カセッテが所定位置に装填されると、図示しない開蓋手段がカセッテの蓋を開け、図示しない枚葉手段がカセッテからＩＰを取り出して所定位置に搬送し、図示しない保持手段が図１（Ａ）に示すようにＩＰを所定位置に保持する。
なお、カセッテの装填手段、開蓋手段、枚葉手段、およびＩＰの保持手段は、いずれも、カセッテや読取装置１０の構成等に応じて、例えば、吸盤、引き出しローラ、ガイドレール等を用いて、公知の手段で構成すればよい。
【００１８】
読取部１２は、ＩＰの読み取りを行うものであって、読取ヘッド３０と、副走査手段３２と、画像処理部３４とを有して構成される。
読取ヘッド３０は、前記所定位置に保持されたＩＰに励起光Ｌを入射して、ＩＰからの輝尽発光光Ｒを測定するもので、筐体３６と、この筐体３６に保持されるＬＤ（レーザダイオード）アレイ３８、ミラー４０、集光レンズ４２、プリズム４４、ラインセンサ４６（４６ａ〜４６ｃ）、および、消去光出射部４８とを有して構成される。
【００１９】
ＬＤアレイ３８は、励起光Ｌの光源であるＬＤを主走査方向（図１（Ａ）紙面に垂直方向）に配列してなる、ライン光源である。
ラインセンサ４６は、励起光Ｌの照射によってＩＰから発生した輝尽発光光を読み取る（測光する）もので、例えば、ラインＣＣＤセンサ等の公知のセンサである。図示例においては、両端の画素列を若干重ねた状態で、３つのラインセンサ４６を主走査方向に配列して、読取画素列を主走査方向に配列する１つの長尺なラインセンサを形成しており、両側のラインセンサ４６ａおよび４６ｃはＩＰ面からの垂線上に配置され、中央のラインセンサ４６ｂは、この垂線に対して直交する位置に配置される。
集光レンズ４２は、主走査方向に延在するシリンドリカルレンズで、ＩＰが発した輝尽発光光Ｒを、各ラインセンサ４６の受光面に結像する。
さらに、集光レンズ４２の下流（輝尽発光光Ｒの進行方向）に配置されるプリズム４４は、主走査方向中央（以下、単に中央とする）の輝尽発光光Ｒは９０°偏向してラインセンサ４６ｂに、両側の輝尽発光光Ｒはそのまま進行させてラインセンサ４６ａおよび４６ｃに、それぞれ入射させる。
【００２０】
消去光出射部４８は、読取終了後に、ＩＰに残存している放射線画像を消去する消去光Ｑを出射する部位である。図示例においては、一例として、主走査方向に延在する蛍光灯を、主走査方向と直交する副走査方向（図中矢印ｙ方向）に、複数本、配列してなるものである。
また、消去光出射部４８には、所定光量の消去光Ｑを安定して出射できるように、光源（蛍光灯）を加熱するためのヒータ等の加熱手段５０が配置される。
【００２１】
このような読取ヘッド３０（筐体３６）は、ガイドレール５８および移動手段６０から構成される副走査手段３２によって、副走査方向に移動される。
ガイドレール５８は、副走査方向に延在するレールで、主走査方向に離間して２本が配置され、筐体３６の両端近傍に係合し、筐体３６を副走査方向に移動自在に支持する。
移動手段６０は、駆動源（モータ）６２、駆動源６２の回転軸に固定される駆動プーリ６４、副走査方向に離間して駆動プーリ６４と対を成す従動プーリ６６、および、駆動プーリ６４と従動プーリ６６とに巻き架けられるエンドレスベルト６８から構成される。エンドレスベルト６８には、読取ヘッド３０の筐体３６が固定的に係合する。従って、駆動源６２を駆動することにより、読取ヘッド３０は、副走査方向に移動（副走査）する。
【００２２】
図示例において、駆動源６２は、一例としてパルスモータであって、読取装置１０（後述する制御部１６）は、駆動源６２の駆動パルス数を用いて、読取ヘッド３０の移動を制御する。
また、高精度な読取を行うためには、読取ヘッド３０による読取開始位置（副走査の開始位置）を所定位置とする必要がある。これに対応して、読取装置１０においては、副走査手段３２は、ＩＰの読み取りを終了した後に、読取ヘッド３０をＩＰの読取開始に対応する所定位置（以下、ＨＰとする）に移動しておき、読取開始の指示に応じて、この位置から副走査を開始する。なお、読取ヘッド３０のＨＰへの移動（読取ヘッド３０の位置決め）は、各種のセンサや、センサに対応して配置される位置の基準部材（位置決め部材）、駆動源６２の駆動パルス数等を利用した、公知の方法で行えばよい。
【００２３】
画像処理部３４は、ラインセンサ４６からの出力信号を変換して所定の画像処理を施し、さらに、必要に応じて、撮影部位や撮影条件などに応じた画像処理を施して、ディスプレイ２２による表示画像に対応する画像データとして、ディスプレイ２２に放射線画像を表示させる部位である。
また、読取装置１０が、エネルギサブトラクション（エネルギ差分処理）やテンポラリサブトラクション（経時差分処理）などの特殊撮影に対応する機能を有する場合には、画像処理部３４は、これらの特殊撮影を行われたＩＰを供給され、その旨を指示された場合には、それに応じた画像処理を施して、ディスプレイ２２に放射線画像を表示させる。
【００２４】
ディスプレイ２２は、公知のディスプレイである。従って、液晶ディスプレイ（ＬＣＤ）やＣＲＴ（Cathode Ray Tube）等の公知のディスプレイが、各種、利用可能である。また、ディスプレイは、カラーディスプレイでもモノクロディスプレイでもよいが、通常、モノクロディスプレイが用いられる。
なお、読取装置１０の移動を考慮すると、ディスプレイ２２は、小型かつ軽量なＬＣＤが好適に例示される。
【００２５】
ここで、読取装置１０においては、撮影した放射線画像を用いて、ある程度の精度での読影が可能であるのが好ましい。そのため、ディスプレイ２２は、１０００画素×１０００画素以上、特に、２０００画素×２０００画素以上の画素数（空間解像度）を有するのが好ましい。
さらに、好適な読影を行うために、読取装置１０のディスプレイ２２は、通常のＸ線画像の観察に使用されるシャーカステンと同等の輝度を有するのが好ましく、特に、３０００ｃｄ以上の最高輝度を有するのが好ましい。
【００２６】
また、前述のように、読取装置１０は、モバイルタイプの読取装置であって、様々な場所でＩＰを読み取り、読み取った放射線画像をディスプレイ２２に表示する。すなわち、読取装置１０のディスプレイ２２の観察環境は、使用環境によって異なり、様々に変化する。
このような各種の観察条件に応じて、各種の環境での適正な画像観察が可能なように、ディスプレイ２２は、図１（Ｂ）に示すように、外部から画像表示面に入射する余分な光を遮るための伸縮自在（矢印ａ方向）なジャバラ２２ａを有するのが好ましく、さらに、画像表示面の水平（Ｈ）方向の角度や垂直（Ｖ）方向の角度が調整可能であるのが好ましい。
【００２７】
以下、読取装置１０によるＩＰ読み取りの作用を説明する。
読取装置１０において、前述のように、オペレータによってカセッテが所定位置に装填されると、開蓋手段がカセッテの蓋体を開放して、枚葉手段がＩＰを取り出し、保持手段が所定位置に保持する。なお、電源が入れられた時点で、加熱手段５０が消去光出射部４８（蛍光灯）の加熱を開始する。
ＩＰを前記所定位置に保持すると、次いで、ＬＤアレイ３８が励起光Ｌを出射しすると共に、駆動源６２が駆動して、読取ヘッド３０の副走査方向（矢印ｙ１方向）への移動（副走査）を開始する。なお、副走査開始時には、読取ヘッド３０はＨＰに位置しているのは、前述のとおりである。
ＬＤアレイ３８が出射した励起光Ｌはミラー４０に入射する。ミラー４０は、励起光Ｌを所定方向に反射し、ＩＰの所定位置に入射させる。
【００２８】
ＩＰの励起光Ｌの入射位置からは、記録された放射線量に応じた輝尽発光光Ｒが発生される。集光レンズ４２は、この輝尽発光光Ｒをラインセンサ４６の受光面に結像するように、集光する。
プリズム４４は、集光レンズ４２で集光された輝尽発光光Ｒのうち、中央領域を偏向してラインセンサ４６ｂに入射し、それ以外は、そのまま通過させて、ラインセンサ４６ａおよび４６ｃに入射させる。
【００２９】
前述のように、このＩＰの読み取り時には、副走査手段３２が読取ヘッド３０を矢印ｙ１方向に移動（副走査）している。従って、ＩＰは、励起光Ｌによって全面を二次元的に走査され、全面の放射線画像が読み取られる。
【００３０】
ラインセンサ４６は、入射した輝尽発光光Ｒを読み取り、それに応じた出力信号を画像処理部３４に送る。
画像処理部３４は、この出力信号を処理して、ディスプレイ２２による画像表示用の画像データとし、このＩＰ撮影された放射線画像（情報）を、ディスプレイ２２に表示する。
【００３１】
読取ヘッド３０を矢印ｙ１方向の所定位置まで移動して、ＩＰ全面の読み取りが終了すると、ＬＤアレイ３８は励起光Ｌの出射を停止し、消去光出射部４８が消去光Ｑを出射する。次いで、副走査手段３２は、読取ヘッド３０を逆の矢印ｙ２方向に移動する。これにより、消去光をＩＰの全面に照射して、残存する放射線画像を消去する。
【００３２】
消去が終了し、読取装置１０のオペレータによってカセッテが読取装置１０の所定位置に装填されると、前述の枚葉手段や開蓋手段が、ＩＰをカセッテ内に収容してカセッテの蓋を閉塞する。これと並行して、副走査手段３２は読取ヘッド３０をＨＰに移動する。
その後、オペレータによって、カセッテが取り外され、必要に応じて、次のカセッテが装填され、同様にして、次のＩＰの読み取りが行われる。
【００３３】
制御部１６は、このようなＩＰの読み取り等をはじめとして、読取装置１０の制御を行うものであり、ＣＰＵ（Central Processing Unit)、ＨＤ（Hard Disc)、揮発性メモリ等を有して構成される。
また、制御部１６は、読取装置１０の主電源がｏｆｆされた場合には、選択されたモード（停止モードか待機モードか）に応じて、主電源部２０からの各部位への電力供給の継続や停止を制御する。なお、主電源をｏｆｆする際におけるモードの選択は、読取装置１０に設置されるスイッチや、接続されるキーボード等を用いた公知の方法によればよい。この主電源ｏｆｆ時のモードについては、後に詳述する。
【００３４】
図示例において、読取装置１０を稼働するためのプログラム（１つでも複数でも、全プログラムでも一部のプログラムでも可）は、ＨＤが記憶している。主電源がｏｆｆ（停止モード）から、ｏｎにされると、ＣＰＵがＨＤからプログラム読み出して揮発性メモリにロード（展開）し、稼働中には、ＣＰＵは、この揮発性メモリからプログラムを読み出して、読取装置１０の動作を制御する。
【００３５】
主電源部２０は、外部電源（コンセント）に接続され、読取装置１０の各部位に駆動電源を供給する部位である。
他方、バッテリ１８は、補助電源である。制御部１６は、待機モードの際には、外部電源と主電源部２０とが切断された際（コンセントからプラグが抜かれた際）には、各部位への電力供給をバッテリ１８に切り換え、バッテリ１８からの電力供給時に外部電源と主電源部２０とが接続された際には、各部位への電力供給を外部電源に切り換える。
なお、バッテリ１８は、読取装置１０の駆動電源等に応じた公知のものを用いればよい。また、バッテリ１８は充電可能で、かつ、読取装置１０は、バッテリ１８の充電機能を有するのが好ましい。充電機能は、バッテリ１８に応じた公知の手段で達成すればよく、例えば、外部電源と主電源部２０とが接続された時点で、フルチャージとなるまで、自動的に充電を行うようにしてもよい。
【００３６】
図示例の読取装置１０は、主電源がｏｆｆの状態（非稼働時）におけるモード（状態）として、停止モードと待機モードとを有する。なお、停止モードとは、読取装置１０の全ての部位への電力供給を停止するモードであり、いわゆる装置の電源を完全に落とした状態である。
【００３７】
他方、待機モードとは、主電源がｏｆｆの状態でも、読取装置１０の所定部位には、電力を供給し続けるモードである。すなわち、待機モードでは、主電源がｏｆｆの状態でも、主電源ｏｎからの立ち上がりに時間がかかる部位に電力を供給しておくことにより、主電源をｏｎした際の立ち上がりを早くして、迅速にＩＰの読み取りを開始できるようにするためのモードである。
また、この待機モードにおいては、読取装置１０の移動などのために主電源部２０が外部電源から外されたら、制御部１６が、各部位への電力供給源をバッテリー１８に切り換えるのは、前述のとおりである。読取装置１０においては、これにより、病院内を移動する際などにも待機モードを維持する。
【００３８】
モバイルタイプの読取装置１０において、その優れた特性の１つである緊急時等における迅速な対処を可能にするためには、例えば、撮影場所等の近傍に持ち運んだ後、電源ｏｆｆの状態からでも迅速に立ち上がり、ＩＰの読み取りを開始できることが要求される。本発明においては、主電源がｏｆｆの状態におけるモードとして、完全に電源をｏｆｆする停止モードと、迅速な立ち上がりに対応する待機モードとを有することにより、緊急時等における迅速な対処を可能にして、モバイルタイプの読取装置１０の特性を十分に発揮できる。
また、長いケーブル等を用いてもよいが、モバイルタイプの読取装置１０を自由に移動するためには、移動時には外部電源と切り離すのが好ましい。図示例の読取装置１０によれば、補助電源としてのバッテリ１８を有するので、移動中であっても、待機モードを維持することができる。これにより、各種の状況において、モバイルタイプの読取装置１０が有する利便性を、十分に発揮できる。
【００３９】
本発明において、待機モードにおいて電力を供給する部位には、特に限定はなく、各種の部位が選択可能である。
図示例の読取装置１０においては、好ましい一例として、待機モードにおいては、装置を稼働するためのプログラムをロードした制御部１６の揮発性メモリに電力を供給して、このプログラムを記憶している状態を保ち、また、副走査の駆動源６２に電力を供給して励磁状態としておく。
【００４０】
前述のように、読取装置１０は、制御部１６において、ＣＰＵがＨＤからプログラムを読み出して、揮発性メモリにロード（プログラムロード）する。このロードは、比較的、時間がかかる処理で、読取装置１０の立ち上がりを律速する一因となっている。また、揮発性メモリは、電源がｏｆｆされると、記憶した情報が全て消去されてしまう。
これに対し、待機モードにおいて、揮発性メモリに電力を供給しておくことにより、揮発性メモリはプログラムを記憶した状態で保持され、すなわち、プログラムのロード時間を不要にして、立ち上がり時間を大幅に短縮できる。
【００４１】
また、前述のように、ＩＰの正確な読み取りを行うためには、読取ヘッド３０の副走査を所定位置すなわちＨＰから開始する必要があり、読取装置１０においては、ＩＰの読み取りを終了した後に、読取ヘッド３０を移動しておく。ここで、モバイルタイプの読取装置１０では、ＩＰの読み取りを終了した後に、読取ヘッド３０をＨＰに位置しておいても、移動時の振動等によって、読取ヘッド３０が移動してしまう。そのため、ＩＰの読み取り開始時には、再度、読取ヘッド３０のＨＰへの移動を行う必要があり、読取開始を遅延する一因となっている。
これに対し、本発明においては、ＩＰの読み取り終了後に読取ヘッド３０をＨＰに移動しておくと共に、待機モードにおいて、駆動源６２（パルスモータ）を励磁状態としておくことにより、移動時に振動等が与えられても、読取ヘッド３０をＨＰに固定しておくことができ、移動先等において、迅速にＩＰの読み取りを開始することができる。
【００４２】
本発明において、待機モードにおいて電力を供給するのは、駆動源６２の励磁と、プログラムをロードした揮発性メモリに限定はされず、いずれか一方のみであってもよい。あるいは、別の部位に電力を供給してもよい。
一例として、待機モードにおいて、消去光出射部４８を加熱する加熱手段５０に電力を供給して、稼働中に対応する温度に保持しておく、もしくはプレヒート状態としておく方法も好適である。
【００４３】
但し、この際においては、待機モードにおける加熱手段５０への電力供給は、主電源部２０が外部電源から外された場合には停止して、バッテリ１８からは電力を供給しないのが好ましい。すなわち、待機モードであっても、温度調整手段など、電力消費量が大きい部位へは、バッテリ１８からの電力供給は行わないのが好ましい。
なお、待機モードで電力消費量の多い部位への電力供給が設定され、主電源部２０が外部電源から外されて、この部位への電力供給を停止した場合でも、再度、主電源部２０と外部電源とが接続された場合には、電力供給を停止した部位への電力供給を再開するのが好ましい。
【００４４】
以上、本発明の放射線画像読取装置について詳細に説明したが、本発明は上記実施例に限定はされず、本発明の要旨を逸脱しない範囲において、各種の変更や改良を行ってもよいのは、もちろんである。
例えば、上記実施例は、ライン状光源とラインセンサを用いる放射線画像読取装置であったが、本発明は、これに限定はされず、人手によって移動可能であれば、光ビーム走査によってＩＰに二次元的に励起光を照射する、ポイントスキャン方式の放射線画像読取装置であってもよい。
【図面の簡単な説明】
【００４５】
【図１】(Ａ）は、本発明の読取装置の一例の概念図、（Ｂ）は、そのディスプレイの一例の概念図である。
【符号の説明】
【００４６】
１０  （放射線画像）読取装置
１２  読取部
１４  ディスプレイ
１６  制御部
１８  バッテリ
２０  主電源部
２２  キャスタ
３０  読取ヘッド
３２  副走査手段
３４  画像処理部
３６  筐体
３８  ＬＤアレイ
４０  ミラー
４２  集光レンズ
４４  プリズム
４６  ラインセンサ
４８  消去光出射部
５０  加熱手段
５８  ガイドレール
６０  移動手段
６２  駆動源
６４  駆動プーリ
６６  従動プーリ
６８  エンドレスベルト
【図１】
2005077905.tif 000003